(57)【要約】【課題】プレジャーボートの位置情報に関連した情報を得るのに好適なプレジャーボート用の情報配信システム、情報配信用サーバ、乗船者用の携帯情報端末、接続情報提供装置、情報配信用サーバ制御用プログラム及び携帯情報端末制御用プログラムを提供する。【解決手段】情報配信システム１を、プレジャーボート２と、基地局３と、携帯電話回線網４と、インターネット５と、情報配信用サーバ６と、を含んだ構成とし、プレジャーボート２を、第１及び第２の携帯電話２０及び２１と、第１〜第４の接続情報提供装置２００〜２０３と、位置情報検出部２２と、位置情報通知部２３と、を含んだ構成とし、前記携帯電話から送信される情報に基づき情報配信用サーバ６は、乗船者の情報を登録したり、プレジャーボート２の位置情報に関連した情報を配信したり、配信用情報をデータベースに登録したりするなど、情報配信処理を制御する役割を担うものである。【選択図】　図１
2004062244.tif 000002
【特許請求の範囲】
【請求項１】
プレジャーボートと、当該プレジャーボートの乗船者用の携帯情報端末と、情報配信用サーバと、を備え、
前記プレジャーボートは、前記乗船者用の携帯情報端末に前記情報配信用サーバの備える自己に対応したＷｅｂページに接続するための接続情報を提供する接続情報提供手段と、自己の位置情報を検出する位置情報検出手段と、検出された前記位置情報を前記情報配信用サーバに通知する位置情報通知手段と、を備え、
前記乗船者用の携帯情報端末は、前記接続情報提供手段から前記接続情報を取得するための接続情報取得手段と、当該接続情報取得手段によって取得した前記接続情報に基づき前記Ｗｅｂページに接続する接続手段と、電子メールを受信するメール受信手段と、受信した前記電子メールを閲覧するメール閲覧手段と、前記Ｗｅｂページにおいて、前記乗船者の識別情報を入力する識別情報入力手段と、を備え、
前記情報配信用サーバは、前記プレジャーボートに対応したＷｅｂページを提供するＷｅｂページ提供手段と、当該Ｗｅｂページにおいて前記入力された識別情報に基づき前記乗船者の識別情報を前記プレジャーボートに対応付けて登録する乗船者情報登録手段と、前記位置情報通知手段によって通知された前記プレジャーボートの位置情報及び前記乗船者情報登録手段によって登録された乗船者の識別情報に基づき対応する乗船者用の携帯情報端末に当該位置情報に関連する所定の情報を含む電子メールを配信する情報メール配信手段と、を備えることを特徴とするプレジャーボート用の情報配信システム。
【請求項２】
前記プレジャーボートは遊漁船であることを特徴とする請求項１記載のプレジャーボート用の情報配信システム。
【請求項３】
前記位置情報に関連した情報の配信内容を選択する配信内容選択手段を更に備えることを特徴とする請求項１又は請求項２記載のプレジャーボート用の情報配信システム。
【請求項４】
前記プレジャーボート上で取得した釣りに関する情報を前記情報配信用サーバに前記プレジャーボートの位置情報に対応付けて登録するための釣り情報登録手段を更に備え、前記情報配信用サーバは、前記位置情報に関連した情報として前記登録された釣り情報を含む電子メールを配信するようになっていることを特徴とする請求項１乃至請求項３のいずれか１項に記載のプレジャーボート用の情報配信システム。
【請求項５】
前記釣り情報登録手段は、前記乗船者用の携帯情報端末が前記Ｗｅｂページを介して前記釣り情報を登録する構成となっていることを特徴とする請求項４記載のプレジャーボート用の情報配信システム。
【請求項６】
前記乗船者用の携帯情報端末は、対象物をデジタル画像として撮影する撮影手段を備えることを特徴とする請求項１乃至請求項５のいずれか１項に記載のプレジャーボート用の情報配信システム。
【請求項７】
前記釣り情報の登録量が所定量以上の登録者に所定の特典を与えるようになっていることを特徴とする請求項４乃至請求項６のいずれか１項に記載のプレジャーボート用の情報配信システム。
【請求項８】
前記位置情報に関連する所定の情報は、前記プレジャーボートの位置情報に対応した港の近くにある商店情報及び観光情報のうち少なくとも一を含むことを特徴とする請求項１乃至請求項７のいずれか１項に記載のプレジャーボート用の情報配信システム。
【請求項９】
前記位置情報に関連する情報は、気象情報及び緊急情報のうち少なくとも一を含むことを特徴とする請求項１乃至請求項８のいずれか１項に記載のプレジャーボート用の情報配信システム。
【請求項１０】
前記位置情報に関連する情報は、釣りに関連する情報を含むことを特徴とする請求項１乃至請求項９のいずれか１項に記載のプレジャーボート用の情報配信システム。
【請求項１１】
前記乗船者用の携帯情報端末は、携帯型電話機であることを特徴とする請求項１乃至請求項１０のいずれか１項に記載のプレジャーボート用の情報配信システム。
【請求項１２】
前記接続情報提供手段は、前記接続情報の記憶された記憶媒体と当該記憶媒体の記憶内容を前記乗船者用の携帯情報端末に接続するための第１の接続部とを含んだ構成となっており、前記乗船者用の携帯情報端末は、前記第１の接続部と接続可能な第２の接続部を備え、前記接続情報取得手段は、前記第１の接続部及び前記第２の接続部を介して前記接続情報を取得するようになっていることを特徴とする請求項１乃至請求項１１のいずれか１項に記載のプレジャーボート用の情報配信システム。
【請求項１３】
複数種類の前記配信内容と、前記配信内容選択手段として前記複数種類の配信内容の種類毎にそれぞれに対応させた前記接続情報提供手段と、を備え、前記乗船者は、これらの接続情報提供手段の中から所望の配信内容のものを選択して当該乗船者用の携帯情報端末に前記第１の接続部及び前記第２の接続部を介して接続することによって、前記所望の配信内容の情報のみを取得することが可能となっていることを特徴とする請求項１２記載のプレジャーボート用の情報配信システム。
【請求項１４】
請求項１記載のプレジャーボート用の情報配信システムにおける情報配信用サーバであって、前記プレジャーボートに対応したＷｅｂページを提供するＷｅｂページ提供手段と、当該Ｗｅｂページにおいて前記入力された識別情報に基づき前記乗船者の情報を前記プレジャーボートに対応付けて登録する乗船者情報登録手段と、前記位置情報通知手段によって通知された前記プレジャーボートの位置情報及び前記乗船者情報登録手段によって登録された乗船者の情報に基づき対応する乗船者用の携帯情報端末に当該位置情報に関連する所定の情報を含む電子メールを配信する情報メール配信手段と、を備えることを特徴とする情報配信用サーバ。
【請求項１５】
請求項３記載のプレジャーボート用の情報配信システムにおける情報配信用サーバであって、前記情報メール配信手段は、前記配信情報選択手段によって選択された内容に応じた情報を配信するようになっていることを特徴とする情報配信用サーバ。
【請求項１６】
請求項４記載のプレジャーボート用の情報配信システムにおける前記情報配信用サーバであって、前記情報メール配信手段は、前記位置情報に関連した情報として、前記釣り情報登録手段によって登録された釣りに関連する情報を含む電子メールを配信するようになっていることを特徴とする情報配信用サーバ。
【請求項１７】
前記位置情報に関連する所定の情報は、前記プレジャーボートの位置情報に対応した港の近くにある商店情報及び観光情報のうち少なくとも一を含むことを特徴とする請求項１４乃至請求項１６のいずれか１項に記載の情報配信用サーバ。
【請求項１８】
前記位置情報に関連する情報は、潮流情報、気象情報及び緊急情報のうち少なくとも一を含むことを特徴とする請求項１４乃至請求項１７のいずれか１項に記載の情報配信用サーバ。
【請求項１９】
前記位置情報に関連する情報は、釣りに関連する情報を含むことを特徴とする請求項１４乃至請求項１８のいずれか１項に記載の情報配信用サーバ。
【請求項２０】
請求項１記載のプレジャーボート用の情報配信システムにおける乗船者用の携帯情報端末であって、前記接続情報提供手段から前記接続情報を取得するための接続情報取得手段と、当該接続情報取得手段によって取得した前記接続情報に基づき前記Ｗｅｂページに接続する接続手段と、電子メールを受信するメール受信手段と、受信した前記電子メールを閲覧するメール閲覧手段と、前記Ｗｅｂページにおいて、前記乗船者の識別情報を入力する識別情報入力手段と、を備えることを特徴とする乗船者用の携帯情報端末。
【請求項２１】
請求項３記載のプレジャーボート用の情報配信システムにおける乗船者用の携帯情報端末であって、前記Ｗｅｂページを介して前記配信内容の選択操作が可能となっていることを特徴とする乗船者用の携帯情報端末。
【請求項２２】
請求項５記載のプレジャーボート用の情報配信システムにおける乗船者用の携帯情報端末であって、前記プレジャーボート上で取得した釣りに関する情報を前記情報配信用サーバに前記プレジャーボートの位置情報に対応付けて登録するための釣り情報登録手段を更に備えることを特徴とする乗船者用の携帯情報端末。
【請求項２３】
対象物をデジタル画像として撮影する撮影手段を備えることを特徴とする請求項２０乃至請求項２２のいずれか１項に記載の乗船者用の携帯情報端末。
【請求項２４】
携帯型電話機であることを特徴とする請求項２０乃至請求項２３のいずれか１項に記載の携帯情報端末。
【請求項２５】
請求項１２記載のプレジャーボート用の情報配信システムにおける接続情報提供手段であって、前記接続情報の記憶された記憶媒体と、当該記憶媒体の記憶内容を前記乗船者用の携帯情報端末に接続するための第１の接続部と、から構成されることを特徴とする接続情報提供装置。
【請求項２６】
請求項１３記載のプレジャーボート用の情報配信システムにおける接続情報提供手段であって、前記複数種類の配信内容のうちいずれか一の情報を有することを特徴とする接続情報提供装置。
【請求項２７】
請求項１２記載のプレジャーボート用の情報配信システムにおける乗船者用の携帯情報端末であって、前記第１の接続部と接続可能な第２の接続部を備え、前記接続情報取得手段は、前記第２の接続部を介して前記接続情報を取得するようになっていることを特徴とする乗船者用の携帯情報端末。
【請求項２８】
請求項１４記載の情報配信用サーバを制御するためのコンピュータ実行可能なプログラムであって、
前記プレジャーボートに対応したＷｅｂページを提供し、当該Ｗｅｂページにおいて前記入力された識別情報に基づき前記乗船者の情報を前記プレジャーボートに対応付けて登録する乗船者情報登録ステップと、前記位置情報通知手段によって通知された前記プレジャーボートの位置情報及び前記乗船者情報登録ステップにおいて登録された乗船者の情報に基づき対応する乗船者用の携帯情報端末に当該位置情報に関連する所定の情報を含む電子メールを配信する情報メール配信ステップと、を備えることを特徴とする情報配信用サーバ制御用プログラム。
【請求項２９】
請求項２０記載の乗船者用の携帯情報端末を制御するためのコンピュータ実行可能なプログラムであって、
前記接続情報提供手段から前記接続情報を取得するための接続情報取得ステップと、当該接続情報取得ステップにおいて取得した前記接続情報に基づき前記Ｗｅｂページに接続する接続ステップと、電子メールを受信するメール受信ステップと、受信した前記電子メールを閲覧するメール閲覧ステップと、前記Ｗｅｂページにおいて、前記乗船者の識別情報を入力する識別情報入力ステップと、を備えることを特徴とする携帯情報端末制御用プログラム。
【発明の詳細な説明】
【０００１】
【発明の属する技術分野】
本発明は、プレジャーボートに係り、特に、乗船者がプレジャーボート上において、そのプレジャーボートの位置情報に関連した情報を得るのに好適なプレジャーボート用の情報配信システムに関する。
【０００２】
【従来の技術】
従来、ヨット、クルーザー、モーターボート、水上オートバイ、遊漁船などレジャーを主目的にした、漁船、貨客船以外の船舶を総称したプレジャーボートがある。近年、これらプレジャーボートの所有者数が増加するに伴い、海上における事故も増加している。
【０００３】
また、船舶により乗客を漁場に案内し、釣り、その他の魚類及びその他の水産動植物を採捕させる事業として遊漁船業がある。ここで遊漁船とは、遊漁船業の用に供する船舶のことである。質の良い遊漁船業を行うにあたっては、遊漁船を操船する船長には、漁場の位置、釣りの仕掛け、漁場で採捕される水産動植物などに対する豊富な知識が必要であり、更に、事故を未然に防ぎ乗客の安全を確保するためにも、正確な気象情報の収集が不可欠である。なお、気象情報は、個人で観測できるものでは無いため、気象庁の発表や海専用の気象情報提供サービスを行っている業者などから得ているのが現状である。
【０００４】
また、遊漁船業に関連する公報例として、特開２００２−３２６４６号公報がある。この公報例によると、インターネット上の遊漁船紹介のＷｅｂページを介して、利用者が目的の遊漁船、利用希望日及び利用人数等を入力して遊漁船の乗合予約を行う方法が述べられており、更にこのページにおいて、釣り場のポイント、季節ごとのターゲット、仕掛案内、釣具店などの情報も提供する旨が記されている。
【０００５】
【発明が解決しようとする課題】
しかしながら、上記したようなプレジャーボートの所有者、特に技術的に未熟な上に海に関する知識も乏しい人は、例えば、普段知らない場所に釣りなどのレジャーに赴いたとしても、良い漁場の位置、仕掛け、港近辺にある商店等の情報、海上における危険区域の情報等を良く知らないため、途方にくれたり、事故に遭ったりする可能性が高い。
【０００６】
また、遊漁船業を営む上で、様々な知識は長年の経験によって培われて身に付くものであり、特に釣り好きなだけで遊漁船業を営もうとした場合は、乗客を満足させることは困難である。
また、遊漁船に乗船する客は、港の近辺にどのような施設や商店等があるかを良く知らない場合が多く、このような場合は、釣りの終了後に接岸してからの行動に不便さが生じる恐れがあった。
【０００７】
また、上記従来例においては、釣り場のポイント、季節ごとのターゲット、仕掛案内、釣具店などの情報をＷｅｂページを通して提供してくれるが、特に、釣り場のポイント情報は、あくまでも実際の海上における大雑把な位置に対してのものであり、正確な情報とは言いがたいものが有る。
そこで、本発明は、このような従来の技術の有する未解決の課題に着目してなされたものであって、プレジャーボートの位置情報に関連した情報を得るのに好適なプレジャーボート用の情報配信システム、情報配信用サーバ、乗船者用の携帯情報端末、情報配信用サーバ制御用プログラム及び携帯情報端末制御用プログラムを提供することを目的としている。
【０００８】
【課題を解決するための手段】
上記目的を達成するために、本発明に係る請求項１記載のプレジャーボート用の情報配信システムは、プレジャーボートと、当該プレジャーボートの乗船者用の携帯情報端末と、情報配信用サーバと、を備え、
前記プレジャーボートは、前記乗船者用の携帯情報端末に前記情報配信用サーバの備える自己に対応したＷｅｂページに接続するための接続情報を提供する接続情報提供手段と、自己の位置情報を検出する位置情報検出手段と、検出された前記位置情報を前記情報配信用サーバに通知する位置情報通知手段と、を備え、
前記乗船者用の携帯情報端末は、前記接続情報提供手段から前記接続情報を取得するための接続情報取得手段と、当該接続情報取得手段によって取得した前記接続情報に基づき前記Ｗｅｂページに接続する接続手段と、電子メールを受信するメール受信手段と、受信した前記電子メールを閲覧するメール閲覧手段と、前記Ｗｅｂページにおいて、前記乗船者の識別情報を入力する識別情報入力手段と、を備え、
前記情報配信用サーバは、前記プレジャーボートに対応したＷｅｂページを提供するＷｅｂページ提供手段と、当該Ｗｅｂページにおいて前記入力された識別情報に基づき前記乗船者の情報を前記プレジャーボートに対応付けて登録する乗船者情報登録手段と、前記位置情報通知手段によって通知された前記プレジャーボートの位置情報及び前記乗船者情報登録手段によって登録された乗船者の情報に基づき対応する乗船者用の携帯情報端末に当該位置情報に関連する所定の情報を含む電子メールを配信する情報メール配信手段と、を備えることを特徴としている。
【０００９】
このような構成であれば、プレジャーボートの備える、接続情報提供手段によって乗船者用の携帯情報端末がプレジャーボートに対応したＷｅｂページに接続するための情報を当該携帯情報端末に提供することが可能であり、位置情報検出手段によってプレジャーボートの位置情報を検出することが可能であり、位置情報通知手段によって位置情報検出手段によって検出されたプレジャーボートの位置情報を情報配信用サーバに通知することが可能であり、乗船者用の携帯情報端末の備える、接続情報取得手段によって前記接続情報提供手段によって提供される接続情報を取得することが可能であり、接続手段によって取得した接続情報に基づき前記Ｗｅｂページに接続することが可能であり、メール受信手段によって電子メールを受信することが可能であり、メール閲覧手段によって受信した電子メールを閲覧することが可能であり、識別情報入力手段によって前記Ｗｅｂページにおいて乗船者の識別情報を入力することが可能であり、情報配信用サーバの備える、Ｗｅｂページ提供手段によって、接続情報に対応したＷｅｂページを提供することが可能であり、乗船者情報登録手段によって入力された乗船者の情報をプレジャーボートに対応付けて登録することが可能であり、情報メール配信手段によって位置情報通知手段によって通知されたプレジャーボートの位置情報及び乗船者情報登録手段によって登録された乗船者の情報に基づき対応する乗船者用の携帯情報端末に当該位置情報に関連する所定の情報を含む電子メールを配信することが可能である。
【００１０】
従って、乗船者は、自分用の携帯情報端末によって接続した専用のＷｅｂページにおいて、例えば、自己の情報に対応するＩＤ番号や電子メールアドレス等の識別情報を入力して、情報配信用サーバに登録することによって、プレジャーボートの位置に関連した情報を、電子メールとして手軽に取得することが可能となる。
【００１１】
また、請求項２に係る発明は、請求項１記載のプレジャーボート用の情報配信システムにおいて、前記プレジャーボートは遊漁船であることを特徴としている。
つまり、プレジャーボートが上記した遊漁船である場合である。この場合は、乗船客は主に釣り人となるので、情報配信用サーバからは、遊漁船上で必要となる釣りに関連する情報が電子メールとして主に配信されることになる。
【００１２】
また、請求項３に係る発明は、請求項１又は請求項２記載のプレジャーボート用の情報配信システムにおいて、前記位置情報に関連した情報の配信内容を選択する配信内容選択手段を更に備えることを特徴としている。
つまり、乗船者は、配信内容選択手段によって、自分に必要な情報のみを選択して取得することが可能となり、これにより、必要な情報のみを手軽に入手することが可能となる。
【００１３】
また、請求項４に係る発明は、請求項２又は請求項３記載のプレジャーボート用の情報配信システムにおいて、前記プレジャーボート上で取得した釣りに関する情報を前記情報配信用サーバに前記プレジャーボートの位置情報に対応付けて登録するための釣り情報登録手段を更に備え、前記情報配信用サーバは、前記位置情報に関連した情報として前記登録された釣り情報を含む電子メールを配信するようになっていることを特徴としている。
【００１４】
つまり、釣り情報登録手段によって、例えば、釣った魚の種類、大きさ、重さ、そのときの仕掛けなどの例えば、プレジャーボート上で取得できる釣りに関する情報をプレジャーボートの位置情報に対応付けて登録することが可能であり、情報配信用サーバは、この登録された情報を位置情報に関連した情報として配信することが可能であるので、プレジャーボート上の乗船者は、細かい位置情報に対応した釣果など、役立つ情報を素早く入手することが可能である。ここで、本発明は、特に、釣りが目的の遊漁船に適したものである。
【００１５】
また、請求項５に係る発明は、請求項４記載のプレジャーボート用の情報配信システムにおいて、前記釣り情報登録手段は、前記乗船者用の携帯情報端末が前記Ｗｅｂページを介して前記釣り情報を登録する構成となっていることを特徴としている。
つまり、乗船者用の携帯情報端末によって前記Ｗｅｂページを介して釣り情報を登録することが可能であるので、乗船者は、釣った魚の種類、大きさ、重さ、そのときの仕掛けなどの遊漁船上で取得できる釣りに関する情報を、Ｗｅｂページを介して手軽に登録することが可能である。
【００１６】
また、請求項６に係る発明は、請求項１乃至請求項５のいずれか１項に記載のプレジャーボート用の情報配信システムにおいて、前記乗船者用の携帯情報端末は、対象物をデジタル画像として撮影する撮影手段を備えることを特徴としている。
つまり、乗船者用の携帯情報端末は、対象物をデジタル画像として撮影する撮影手段を備え、これにより対象物のデジタル画像を撮影することが可能であるので、例えば、釣った魚や、その魚を釣った人のデジタル画像を撮影し、これを釣り情報として登録するなどの利用が可能となる。
【００１７】
また、請求項７に係る発明は、請求項４乃至請求項６のいずれか１項に記載のプレジャーボート用の情報配信システムにおいて、前記釣り情報の登録量が所定量以上の登録者に所定の特典を与えるようになっていることを特徴としている。
つまり、たくさんの釣り情報を情報配信用サーバに登録した人に、特典を与えることによって、乗船者が釣り情報を登録する意欲を促進し、これにより有益な情報の収集を円滑化する。
【００１８】
また、請求項８に係る発明は、請求項１乃至請求項７のいずれか１項に記載のプレジャーボート用の情報配信システムにおいて、前記位置情報に関連する所定の情報は、前記プレジャーボートの位置情報に対応した港の近くにある商店情報及び観光情報のうち少なくとも一を含むことを特徴としている。
つまり、位置情報に関連した情報として、プレジャーボートの位置情報に対応した港の近くにある商店の情報や観光情報を配信するようにしたので、これにより、乗船者は、初めて着岸するような港近辺の商店情報や観光情報を手軽に取得することが可能となるので、着岸後の行動を円滑にすることが可能となる。
【００１９】
また、請求項９に係る発明は、請求項１乃至請求項８のいずれか１項に記載のプレジャーボート用の情報配信システムにおいて、前記位置情報に関連する情報は、気象情報及び緊急情報のうち少なくとも一を含むことを特徴としている。
つまり、プレジャーボートの位置情報に対応した気象情報や緊急情報を配信するようにしたので、乗船者はピンポイントな気象情報や緊急情報を入手することが可能であり、局地的な雷雨や暗礁等の危険の回避に役立つ。
【００２０】
ここで、気象情報としては、天気・気温・風・日照時間・降水量・積雪深・台風実況／進路予報・台風の強さ・大きさ・進路予報などの通常の気象情報の他、海洋レジャーに有用な、波浪、海流、潮流、潮汐、海面水温などの気象情報がある。
また、請求項１０に係る発明は、請求項１乃至請求項９のいずれか１項に記載のプレジャーボート用の情報配信システムにおいて、前記位置情報に関連する情報は、釣りに関連する情報を含むことを特徴としている。
【００２１】
つまり、情報配信用サーバからの配信情報として位置情報に関連する釣り情報を配信するようにしたので、釣り専門の遊漁船から素人が手持ちの船舶で釣りを行う場合にも、釣りに関連する情報を配信するようにしたので、特に、普段釣りをしない人や釣りを始めたばかりの人などが釣りをするときに釣り場の選定等に役立つ。
【００２２】
また、請求項１１に係る発明は、請求項１乃至請求項１０のいずれか１項に記載のプレジャーボート用の情報配信システムにおいて、前記乗船者用の携帯情報端末は、携帯型電話機であることを特徴としている。
つまり、乗船者用の携帯情報端末が携帯型電話機である場合である。これにより、乗船者の普段使用している携帯電話を乗船者用の携帯情報端末として利用することが可能である。
【００２３】
また、請求項１２に係る発明は、請求項１乃至請求項１１のいずれか１項に記載のプレジャーボート用の情報配信システムにおいて、前記接続情報提供手段は、前記接続情報の記憶された記憶媒体と当該記憶媒体の記憶内容を前記乗船者用の携帯情報端末に接続するための第１の接続部とを含んだ構成となっており、前記乗船者用の携帯情報端末は、前記第１の接続部と接続可能な第２の接続部を備え、前記接続情報取得手段は、前記第１の接続部及び前記第２の接続部を介して前記接続情報を取得するようになっていることを特徴としている。
【００２４】
つまり、携帯情報端末は、接続情報提供手段の第１の接続部を自携帯情報端末の第２の接続部に接続することで、記憶媒体に記憶された接続情報を取得することが可能なので、乗船者は、プレジャーボートに乗って接続情報提供手段を携帯情報端末に接続するだけで簡易に接続情報を取得することが可能である。ここで、例えば、携帯情報端末側のプログラムによって、自動的にＷｅｂページに接続し、且つ、乗船者の識別情報を登録する処理を行わせるようにすることで乗船者は、接続情報提供手段を携帯情報端末に接続するだけで、簡易にプレジャーボートに対応した乗船者の識別情報の登録を行うことが可能となる。
【００２５】
また、請求項１３に係る発明は、請求項１２記載のプレジャーボート用の情報配信システムにおいて、複数種類の前記配信内容と、前記配信内容選択手段として前記複数種類の配信内容の種類毎にそれぞれに対応させた前記接続情報提供手段と、を備え、前記乗船者は、これらの接続情報提供手段の中から所望の配信内容のものを選択して当該乗船者用の携帯情報端末に前記第１の接続部及び前記第２の接続部を介して接続することによって、前記所望の配信内容の情報のみを取得することが可能となっていることを特徴としている。
【００２６】
つまり、乗船者は、複数種類の配信内容の種類毎にそれぞれ対応させた前記接続情報提供手段の中から所望の配信内容の対応したものを選択して携帯情報端末に接続することで、所望の配信内容の選択及び識別情報の登録を行うことが可能となっている。従って、余計な配信情報の受信を防ぐことが可能となる。
また、本発明に係る請求項１４記載の情報配信用サーバは、請求項１記載のプレジャーボート用の情報配信システムにおける情報配信用サーバであって、前記プレジャーボートに対応したＷｅｂページを提供するＷｅｂページ提供手段と、当該Ｗｅｂページにおいて前記入力された識別情報に基づき前記乗船者の情報を前記プレジャーボートに対応付けて登録する乗船者情報登録手段と、前記位置情報通知手段によって通知された前記プレジャーボートの位置情報及び前記乗船者情報登録手段によって登録された乗船者の情報に基づき対応する乗船者用の携帯情報端末に当該位置情報に関連する所定の情報を含む電子メールを配信する情報メール配信手段と、を備えることを特徴としている。
【００２７】
ここで、本発明は、請求項１記載のプレジャーボート用の情報配信システムにおける情報配信用サーバであり、その作用効果は重複するので記載を省略する。
また、本発明に係る請求項１５記載の情報配信用サーバは、請求項３記載のプレジャーボート用の情報配信システムにおける情報配信用サーバであって、前記情報メール配信手段は、前記配信情報選択手段によって選択された内容に応じた情報を配信するようになっていることを特徴としている。
【００２８】
ここで、本発明は、請求項３記載のプレジャーボート用の情報配信システムにおける情報配信用サーバであり、その作用効果は重複するので記載を省略する。
また、本発明に係る請求項１６記載の情報配信用サーバは、請求項４記載のプレジャーボート用の情報配信システムにおける前記情報配信用サーバであって、前記情報メール配信手段は、前記位置情報に関連した情報として、前記釣り情報登録手段によって登録された釣りに関連する情報を含む電子メールを配信するようになっていることを特徴としている。
【００２９】
ここで、本発明は、請求項４記載のプレジャーボート用の情報配信システムにおける情報配信用サーバであり、その作用効果は重複するので記載を省略する。
また、請求項１７に係る発明は、請求項１４乃至請求項１６のいずれか１項に記載の情報配信用サーバにおいて、前記位置情報に関連する所定の情報は、前記プレジャーボートの位置情報に対応した港の近くにある商店情報及び観光情報のうち少なくとも一を含むことを特徴としている。
【００３０】
ここで、本発明は、請求項８記載のプレジャーボート用の情報配信システムにおける情報配信用サーバであり、その作用効果は重複するので記載を省略する。
また、請求項１８に係る発明は、請求項１４乃至請求項１７のいずれか１項に記載の情報配信用サーバにおいて、前記位置情報に関連する情報は、気象情報及び緊急情報のうち少なくとも一を含むことを特徴としている。
【００３１】
ここで、本発明は、請求項９記載のプレジャーボート用の情報配信システムにおける情報配信用サーバであり、その作用効果は重複するので記載を省略する。
また、請求項１９に係る発明は、請求項１４乃至請求項１８のいずれか１項に記載の情報配信用サーバにおいて、前記位置情報に関連する情報は、釣りに関連する情報を含むことを特徴としている。
【００３２】
ここで、本発明は、請求項１０記載のプレジャーボート用の情報配信システムにおける情報配信用サーバであり、その作用効果は重複するので記載を省略する。
また、本発明に係る請求項２０記載の乗船者用の携帯情報端末は、請求項１記載のプレジャーボート用の情報配信システムにおける乗船者用の携帯情報端末であって、前記接続情報提供手段から前記接続情報を取得するための接続情報取得手段と、当該接続情報取得手段によって取得した前記接続情報に基づき前記Ｗｅｂページに接続する接続手段と、電子メールを受信するメール受信手段と、受信した前記電子メールを閲覧するメール閲覧手段と、前記Ｗｅｂページにおいて、前記乗船者の識別情報を入力する識別情報入力手段と、を備えることを特徴としている。
【００３３】
ここで、本発明は、請求項１記載のプレジャーボート用の情報配信システムにおける乗船者用の携帯情報端末であり、その作用効果は重複するので記載を省略する。
また、本発明に係る請求項２１記載の乗船者用の携帯情報端末は、請求項３記載のプレジャーボート用の情報配信システムにおける乗船者用の携帯情報端末であって、前記Ｗｅｂページを介して前記配信内容の選択操作が可能となっていることを特徴としている。
【００３４】
ここで、本発明は、請求項３記載のプレジャーボート用の情報配信システムにおける乗船者用の携帯情報端末であり、その作用効果は重複するので記載を省略する。
また、本発明に係る請求項２２記載の乗船者用の携帯情報端末は、請求項５記載のプレジャーボート用の情報配信システムにおける乗船者用の携帯情報端末であって、前記プレジャーボート上で取得した釣りに関する情報を前記情報配信用サーバに前記プレジャーボートの位置情報に対応付けて登録するための釣り情報登録手段を更に備えることを特徴としている。
【００３５】
ここで、本発明は、請求項５記載のプレジャーボート用の情報配信システムにおける乗船者用の携帯情報端末であり、その作用効果は重複するので記載を省略する。
また、請求項２３に係る発明は、請求項２０乃至請求項２２のいずれか１項に記載の乗船用の携帯情報端末において、対象物をデジタル画像として撮影する撮影手段を備えることを特徴としている。
【００３６】
ここで、本発明は、請求項６記載のプレジャーボート用の情報配信システムにおける乗船者用の携帯情報端末であり、その作用効果は重複するので記載を省略する。
また、請求項２４に係る発明は、請求項２０乃至請求項２３のいずれか１項に記載の乗船者用の携帯情報端末において、携帯型電話機であることを特徴としている。
【００３７】
ここで、本発明は、請求項１１記載のプレジャーボート用の情報配信システムにおける乗船者用の携帯情報端末であり、その作用効果は重複するので記載を省略する。
また、本発明に係る請求項２５記載の接続情報提供装置は、請求項１２記載のプレジャーボート用の情報配信システムにおける接続情報提供手段であって、前記接続情報の記憶された記憶媒体と、当該記憶媒体の記憶内容を前記乗船者用の携帯情報端末に接続するための第１の接続部と、から構成されることを特徴としている。
【００３８】
ここで、本発明は、請求項１２記載のプレジャーボート用の情報配信システムにおける接続情報提供手段であり、その作用効果は重複するので記載を省略する。
また、本発明に係る請求項２６記載の接続情報提供装置は、請求項１３記載のプレジャーボート用の情報配信システムにおける接続情報提供手段であって、前記複数種類の配信内容のうちいずれか一の情報を有することを特徴としている。
【００３９】
ここで、本発明は、請求項１３記載のプレジャーボート用の情報配信システムにおける接続情報提供手段であり、その作用効果は重複するので記載を省略する。
また、本発明に係る請求項２７記載の乗船者用の携帯情報端末は、請求項１２記載のプレジャーボート用の情報配信システムにおける乗船者用の携帯情報端末であって、前記第１の接続部と接続可能な第２の接続部を備え、前記接続情報取得手段は、前記第２の接続部を介して前記接続情報を取得するようになっていることを特徴としている。
【００４０】
ここで、本発明は、請求項１２記載のプレジャーボート用の情報配信システムにおける接続情報提供手段であり、その作用効果は重複するので記載を省略する。
また、本発明に係る請求項２８記載の情報配信用サーバ制御用プログラムは、請求項１４記載の情報配信用サーバを制御するためのコンピュータ実行可能なプログラムであって、
前記プレジャーボートに対応したＷｅｂページを提供し、当該Ｗｅｂページにおいて前記入力された識別情報に基づき前記乗船者の情報を前記プレジャーボートに対応付けて登録する乗船者情報登録ステップと、前記位置情報通知手段によって通知された前記プレジャーボートの位置情報及び前記乗船者情報登録ステップにおいて登録された乗船者の情報に基づき対応する乗船者用の携帯情報端末に当該位置情報に関連する所定の情報を含む電子メールを配信する情報メール配信ステップと、を備えることを特徴としている。
【００４１】
ここで、本発明は、請求項１４記載の情報配信用サーバを制御するためのプログラムであり、その効果は重複するので記載を省略する。
また、本発明に係る請求項２９記載の携帯情報端末制御用プログラムは、請求項２０記載の乗船者用の携帯情報端末を制御するためのコンピュータ実行可能なプログラムであって、
前記接続情報提供手段から前記接続情報を取得するための接続情報取得ステップと、当該接続情報取得ステップにおいて取得した前記接続情報に基づき前記Ｗｅｂページに接続する接続ステップと、電子メールを受信するメール受信ステップと、受信した前記電子メールを閲覧するメール閲覧ステップと、前記Ｗｅｂページにおいて、前記乗船者の識別情報を入力する識別情報入力ステップと、を備えることを特徴としている。
【００４２】
ここで、本発明は、請求項２０記載の乗船者用の携帯情報端末を制御するためのプログラムであり、その効果は重複するので記載を省略する。
【００４３】
【発明の実施の形態】
以下、本発明の実施の形態を図面に基づき説明する。図１乃至図１０は、本発明に係るプレジャーボート用の情報配信システムの実施の形態を示す図である。
まず、本発明に係る情報配信システムの構成を図１に基づき説明する。図１は、本発明に係る情報配信システムの全体構成を示す図である。
【００４４】
図１に示すように、情報配信システム１は、プレジャーボート２と、携帯電話の基地局３と、携帯電話回線網４と、インターネット５と、情報配信用サーバ６と、を含んだ構成となっている。
プレジャーボート２は、第１及び第２の携帯電話２０及び２１と、第１〜第４の接続情報提供装置２００〜２０３と、位置情報検出部２２と、位置情報通知部２３と、を含んだ構成となっている。
【００４５】
第１及び第２の携帯電話２０及び２１は、本実施の形態において、乗船者の所持する公知の携帯電話と同様の機能を備えたものである。なお、詳細な構成は後述する。
第１〜第４の接続情報提供装置２００〜２０３は、上記した第１及び第２の携帯電話２０及び２１が情報配信用サーバ６の提供する乗船するプレジャーボートに対応したＷｅｂページに接続するための情報を提供するものである。なお、詳細な構成は後述する。
【００４６】
位置情報検出部２２は、プレジャーボート２の位置情報を検出するためのもので、本実施の形態においては、ＧＰＳ（Ｇｌｏｂａｌ　Ｐｏｓｉｔｉｏｎｉｎｇ　Ｓｙｓｔｅｍ）を利用して位置情報の検出を行うこととする。
位置情報通知部２３は、位置情報検出部２２によって検出されたプレジャーボート２の位置情報を情報配信用サーバ６に通知するためのものである。
【００４７】
携帯電話の基地局３は、公知の携帯電話用の基地局であり、携帯電話のサービスエリアにおいて、携帯電話との間で電波の送受信を行うためのものである。この基地局３は、一般に、その地域のキー局となるいわゆる親局と，親局から所定速度の専用線で中継されるマイクロＢＳ局がある。親局と交換局はやはり専用線で接続されており、通話先によって同じ携帯電話会社や他の携帯電話会社などの交換機に接続される。
【００４８】
携帯電話回線網４は、携帯電話同士が通話をするための回線網であり、既存の電話回線等を利用して幅広い地域間での携帯電話同士の通話を可能にしている。
インターネット５は、世界中の様々なネットワークが相互接続された大規模なネットワークであり、ＰＣ（Ｐｅｒｓｏｎａｌ　Ｃｏｍｐｕｔｅｒ）や携帯電話等の端末機器によって電話回線や専用回線等を介して接続することが可能であり、ネットワークに接続されたＷＷＷ（Ｗｏｒｌｄ　Ｗｉｄｅ　Ｗｅｂ）サーバ等の公開している情報を専用のブラウザソフトによって閲覧することが可能であり、また、ネットビジネス等の様々な用途に用いられるものである。
【００４９】
情報配信用サーバ６は、プレジャーボート２とその乗船者の識別情報とを対応付けて登録したり、位置情報通知部２３から取得した位置情報に応じてプレジャーボート２の乗船者の携帯電話に対して、プレジャーボート２の現在の位置情報に関連した情報を電子メールとして配信したり、携帯電話からの情報をデータベースに登録したりするなど、情報配信処理を制御する役割を担うものである。なお、詳細な構成は後述する。
【００５０】
更に、図２に基づき、第１の携帯電話２０の詳細な構成を説明する。図２は、第１の携帯電話２０の詳細な構成を示すブロック図である。
図２に示すように、第１の携帯電話２０は、図示しない操作部を操作することにより、乗船者が、電話番号や自己の識別情報などの所定の情報を入力するための入力部２０ａと、上記した接続情報提供装置と接続するための第２の接続部２０ｂと、第２の接続部２０ｂを介して接続情報提供装置から接続情報を取得するための接続情報取得部２０ｃと、対象物をデジタル画像として撮影可能な公知のデジタルカメラ２０ｄと、インターネット５を介して電子メールの送受信を行うための電子メール制御部２０ｅと、本システムにおける情報配信処理に関連するデータを制御するためのデータ制御部２０ｆと、データ制御部２０からの指示に応じて無線通信によってデータの送受信を行うためのデータ送受信部２０ｇと、専用のブラウザソフトを介して情報配信用サーバ６からのＷｅｂページを表示したり、選択した電子メールの内容を表示したりするための表示部２０ｈと、公知の携帯電話にもある他の電話機と通話をするための電話機能部２０ｉと、を含んだ構成となっている。なお、第２の携帯電話２１の詳細構成も同様のものであるので記載を省略する。
【００５１】
更に、図３に基づき、第１の接続情報提供装置２００の詳細な構成を説明する。図３は、第１の接続情報提供装置２００の詳細な構成を示すブロック図である。　図３に示すように、第１の接続情報提供装置２００は、少なくともプレジャーボート２に対応した情報配信用のＷｅｂページのＵＲＬ（Ｕｎｉｆｏｒｍ　Ｒｅｓｏｕｒｃｅ　Ｌｏｃａｔｏｒ）情報と配信される情報の種類情報とが記憶された接続情報記憶部２００ａと、携帯電話の第１の接続部に接続するための第１の接続部２００ｂと、を含んだ構成となっている。なお、第２〜第４の接続情報提供装置２０１〜２０４の詳細構成も同様のものであるので記載を省略する。
【００５２】
更に、図４に基づき、情報配信用サーバ６の詳細な構成を説明する。図４は、情報配信用サーバ６の詳細な構成を示すブロック図である。
図４に示すように、情報配信用サーバ６は、インターネット５、携帯電話回線網及び基地局３を介して携帯電話との間でデータの送受信を行い、また、図示しない電話回線網及びインターネット５を介して位置情報通知部２３から位置情報の受信を行うためのデータ送受信部６ａと、登録されたプレジャーボートに対応したＷｅｂページを対象の携帯電話等の携帯型情報端末に提供するためのＷｅｂページ提供部６ｂと、配信を希望するプレジャーボートの位置情報と乗船者の識別情報と配信希望の内容と後述する配信情報データベースの登録内容とに基づき対象の携帯情報端末に向けた配信情報を電子メールとして生成するための情報メール生成部６ｃと、指定水域等の海上の位置情報に対応した気象情報や釣り場の情報などの情報が蓄積された配信情報データベース６ｄと、携帯情報端末などから受信した情報配信用の情報を配信情報データベースに登録するための情報登録部６ｅと、を含んだ構成となっている。
【００５３】
更に、情報配信システム１のより具体的な動作を説明する。まず前提条件として、本実施の形態におけるプレジャーボート２は遊漁船であるとする。そして、配信される情報としては、第１〜第４の接続情報提供装置２００〜２０３のそれぞれに応じて、図５に示す配信内容の種類を選択することが可能である。ここで、図５は、接続情報提供装置と配信内容との対応関係を示す図である。
【００５４】
つまり、第１の携帯電話２０の第２の接続部２０ｂと第１の接続情報提供装置２００の第１の接続部２００ｂとを接続することによって、第１の携帯電話２０の接続情報取得部２０ｃは、第１の接続情報提供装置２００のプレジャーボート２に対応したＷｅｂページのＵＲＬ情報と図５に示すような配信内容の種類情報とを取得する。ここで、本実施の形態においては、図５にも示すように情報配信用サーバ６は、プレジャーボート２の位置情報に対応した、「気象情報」、「釣り情報」、「観光情報」の３種類の情報を配信するようになっている。また、本実施の形態においては、選択の有無に関わらず、「緊急情報」も配信するようになっている。
【００５５】
まず、乗船者は、プレジャーボートに乗る際に自分の所持する携帯電話に配信希望の内容に対応した接続情報提供装置を接続する。例えば、第１の携帯電話２０に第１の接続情報提供装置２００を接続した場合は、第１の携帯電話２０におけるデータ制御部２０ｆは、接続情報取得部２０ｃによって取得されたＵＲＬ情報と図５に示すように第１の接続情報提供装置に対応した「全ての情報」の配信を希望する情報に基づき専用のブラウザソフトを起動してこのＵＲＬにアクセスする。このアクセス情報はデータ送受信部２０ｇを介して無線信号として送信され、更に、この信号は、基地局３、携帯電話回線網４及びインターネット５を介して情報配信用サーバ６に伝送される。
【００５６】
情報配信用サーバ６では、データ送受信部６ａによって前記アクセス情報を受信すると、まず、この情報に対応したＷｅｂページの情報をアクセス元の第１の携帯電話２０に対して返信する。ここで、本実施の形態において、Ｗｅｂページは、予めプレジャーボートの所持者が情報配信用サーバに自己の情報を登録することで、そのプレジャーボートに対応したページがサーバ側で作成され用意される仕組みとなっている。また、このＷｅｂページ情報の返信処理は、データ送受信部６ａによって行われ、インターネット５、携帯電話回線網４及び基地局３を介して第１の携帯電話２０に情報が送られることになる。これにより、第１の携帯電話２０の表示部２０ｈには、取得したＷｅｂページの情報が表示される。この表示内容には、第１の携帯電話２０の所持者の識別情報を入力する指示内容が含まれており、対応する乗船者は、第１の携帯電話２０の図示しない操作部を操作して識別情報を入力し、その内容を情報配信用サーバ６に伝送する。この伝送処理の流れを説明すると、入力された識別情報は情報入力部２０ａを介してデータ制御部２０ｆに伝送され、そこでデータ送受信部２０ｇに指示が出され、上記したアクセス情報と同様の手順で情報配信用サーバ６に伝送される。
【００５７】
ここで、本実施の形態において、識別情報は、事前に情報配信用サーバ６に、乗船者の氏名、住所、電話番号、メールアドレス（携帯電話用必須）等の乗船者の個人情報を登録することで発行されるようになっているものである。つまり、乗船者がこの識別情報を入力することによって、情報配信用サーバ６には、プレジャーボート２に第１の携帯電話２０の所持者（以降、乗船者Ａと称する）が対応付けられて登録されることになる。同様に、第２の携帯電話２１の所持者（以降、乗船者Ｂと称する）も、第２の接続情報提供部２０１を第２の携帯電話２１に接続して専用のＷｅｂページにアクセスし、そこで識別情報を入力することで、その識別情報に対応した乗船者として情報配信用サーバ６にプレジャーボート２に対応付けられて登録されることになる。
【００５８】
そして、識別情報が登録されプレジャーボート２が出航すると、情報配信システム１における情報配信サービスが開始されることになる。
情報配信サービスが開始されると、まず、プレジャーボート２に備わる位置情報検出部２２によってプレジャーボート２の位置情報の検出処理が行われる。この検出された位置情報は同様にプレジャーボート２の備える位置情報通知部２３によって図示しない無線通信回線及びインターネット５を介して情報配信用サーバ６に伝送されることになる。ここで、本実施の形態においては、位置情報の検出及び位置情報の通知処理は、一定の時間間隔（例えば、３０秒ごと）で繰り返し行われることになる。情報配信用サーバ６では、プレジャーボート２からの位置情報を取得すると、この位置情報及び乗船者Ａ及び乗船者Ｂの希望する配信内容の情報に基づき、配信情報データベース６ｄから位置情報に対応した配信内容があるか否かを判定し、対応する情報がある場合に、情報メール生成部６ｃにおいて、その情報を含む電子メールを生成してデータ送受信部６ａを介して携帯電話に伝送する。つまり、乗船者Ａの所持する第１の携帯電話２０には、位置情報に対応する、「気象情報」、「釣り情報」、「観光情報」を含む電子メールが配信され、乗船者Ｂの所持する第２の携帯電話２１には、位置情報に対応する「気象情報」を含む電子メールが配信されることになる。
【００５９】
ここで、配信される「気象情報」としては、プレジャーボート２の位置情報に対応した、天気・気温・風・日照時間・降水量・積雪深・台風実況／進路予報・台風の強さ・大きさ・進路予報などの通常の気象情報の他、海洋レジャーに有用な、波浪、海流、潮流、潮汐、海面水温などの情報がある。
また、配信される「釣り情報」としては、プレジャーボート２が港に近い水域に位置するときは近くにある釣具屋の情報などがあり、プレジャーボートが港から離れた海上にいるときは、海上の位置情報に対応した釣り情報として、釣りのポイント情報、仕掛け情報、釣れた魚の料理方法などがある。
【００６０】
また、配信される「観光情報」としては、プレジャーボート２が港に近い水域に位置するときに、港近くの観光地の情報、お土産屋などの情報、その港の属する地域の観光情報などがある。
更に、本実施の形態においては、情報配信用サーバ６にプレジャーボート２上で取得した情報を所定量以上登録した人に対して、例えば、遊漁船の乗船料金を１回無料にしたり、情報配信システムの利用料金を１ヶ月無料にするなどの特典を与えるようになっている。
【００６１】
更に、本実施の形態における情報配信システム１では、携帯電話によってＷｅｂページを介して情報の登録を行うことが可能となっている。これは、図２にも示すように、デジタルカメラ２０ｄによって撮影したデジタル写真や操作部の操作によって入力された情報などをそのときのプレジャーボートの位置情報と対応付けて登録することが可能なもので、例えば、釣った魚の写真をデジタルカメラ２０ｄによって撮影し、その魚の種類、大きさ、重さなどの情報を操作部を操作して手入力し、それらをセットで登録するといったことが可能となっている。この処理はデータ制御部２０ｆによって行われる。このようにして登録された情報は、情報配信用サーバ６において配信情報として利用されることになる。
【００６２】
また、プレジャーボート２が危険な水域などに進入してしまった場合は、配信希望設定の有無に関わらず、例えば、暗礁の位置情報や渦巻きの位置情報などを乗船者の携帯電話全てに配信したり、あるいは、プレジャーボート２の備えるＰＣ等の機器宛てに配信したりする。
更に、図６に基づき、第１及び第２の携帯電話２０及び２１における識別情報登録処理の流れを説明する。図６は、第１及び第２の携帯電話２０及び２１における識別情報登録処理を示すフローチャートである。
【００６３】
図６に示すように、まずステップＳ６００に移行し、接続情報提供装置が接続されたか否かを判定し、接続されたと判定された場合（Ｙｅｓ）はステップＳ６０２に移行し、そうでない場合（Ｎｏ）は接続されるまで待機する。
ステップＳ６０２に移行した場合は、接続情報取得部２０ｃによって、接続された接続情報提供装置の備える接続情報記憶部に記憶された情報（ＵＲＬ情報及び配信内容情報）を取得してステップＳ６０４に移行する。
【００６４】
ステップＳ６０４では、データ制御部２０ｆによって、専用のブラウザソフトが起動され、取得したＵＲＬ情報に基づきこのＵＲＬのＷｅｂページにアクセスしてステップＳ６０６に移行する。
ステップＳ６０６では、情報配信用サーバ６からＷｅｂページ情報を取得したか否かを判定し、取得したと判定された場合（Ｙｅｓ）はステップＳ６０８に移行し、そうでない場合（Ｎｏ）は取得するまで待機する。
【００６５】
ステップＳ６０８に移行した場合は、図示しない操作部によって乗船者の識別情報を入力してステップＳ６１０に移行する。
ステップＳ６１０では、識別情報の入力が終了して乗船者によってブラウザの表示部上の登録ボタンが押下されるとステップＳ６１２に移行する。
ステップＳ６１２では、情報配信用サーバから登録完了通知があったか否かを判定し、あった場合（Ｙｅｓ）はステップＳ６１４に移行し、そうでない場合（Ｎｏ）は通知が来るまで待機する。
【００６６】
ステップＳ６１４に移行すると、登録が完了され一連の処理を終了する。
更に、図７に基づき、情報配信用サーバにおける識別情報の登録処理の流れを説明する。図７は、情報配信用サーバにおける識別情報の登録処理を示すフローチャートである。
図７に示すように、まずステップＳ７００に移行し、プレジャーボート２上にある携帯電話からＷｅｂページへのアクセス情報を取得したか否かを判定し、取得したと判定された場合（Ｙｅｓ）はステップＳ７０２に移行し、そうでない場合（Ｎｏ）は取得されるまで待機する。
【００６７】
ステップＳ７０２に移行した場合は、Ｗｅｂページ提供部６ｂによって、ステップＳ７００において取得したアクセス情報に対応したＷｅｂページ情報をデータ送受信部６ａを介して返信しステップＳ７０４に移行する。ここで、本実施の形態において、アクセス情報には、プレジャーボート２に対応したＷｅｂページのＵＲＬ情報及び配信内容に関する情報が含まれている。
【００６８】
ステップＳ７０４では、Ｗｅｂページ情報を返信した携帯電話からの識別情報を取得したか否かを判定し、取得したと判定された場合（Ｙｅｓ）はステップＳ７０６に移行し、そうでない場合（Ｎｏ）は取得するまで待機する。
ステップＳ７０６に移行した場合は、取得した識別情報をプレジャーボート２及び配信内容に関する情報に対応付けて登録しステップＳ７００に移行する。
【００６９】
更に、図８に基づき、情報配信用サーバにおける情報配信処理の流れを説明する。図８は、情報配信用サーバにおける情報配信処理を示すフローチャートである。
図８に示すように、まずステップＳ８００に移行し、プレジャーボート２から位置情報を取得したか否かを判定し、取得したと判定された場合（Ｙｅｓ）はステップＳ８０２に移行し、そうでない場合（Ｎｏ）は取得するまで待機する。
【００７０】
ステップＳ８０２に移行した場合は、取得した位置情報に対応した配信情報があるか否かを判定し、配信する情報があると判定された場合（Ｙｅｓ）はステップＳ８０４に移行し、そうでない場合（Ｎｏ）はステップＳ８００に移行する。
ステップＳ８０４に移行した場合は、情報メール生成部６ｃにおいて、乗船者の登録情報に基づき選択された配信内容の情報を配信情報データベースから読み出し、配信用メールを生成してステップＳ８０６に移行する。
【００７１】
ステップＳ８０６に移行すると、生成した情報配信用メールを対応する携帯電話のアドレス宛てに送信してステップＳ８００に移行する。
更に、図９に基づき、携帯電話における情報登録処理の流れを説明する。図９は、携帯電話における情報登録処理を示すフローチャートである。
図９に示すように、まずステップＳ９００に移行し、携帯電話の操作によってＷｅｂページ上の情報登録ボタンが押下されたか否かを判定し、押下されたと判定された場合（Ｙｅｓ）はステップＳ９０２に移行し、そうでない場合（Ｎｏ）は押下されるまで待機する。
【００７２】
ステップＳ９０２に移行した場合は、情報登録用ページに移行してステップＳ９０４に移行する。
ステップＳ９０４では、デジカメで撮影した画像データやその画像についての情報など、情報配信用サーバに登録したい情報を入力してステップＳ９０６に移行する。
【００７３】
ステップＳ９０６では、データ制御部２０ｆにおいて、その情報を取得したときのプレジャーボート２の位置情報と画像データと当該画像データについての文章情報などとをセットにした登録用データを生成してステップＳ９０８に移行する。
ステップＳ９０８に移行するとデータ送受信部２０ｇを介して登録用データを送信してステップＳ９１０に移行する。
【００７４】
ステップＳ９１０では、登録の終了が選択されたか否かを判定し、終了が選択された場合（Ｙｅｓ）はステップＳ９００に移行し、そうでない場合（Ｎｏ）はステップＳ９０４に移行する。
更に、図１０に基づき、情報配信用サーバにおける情報登録処理の流れを説明する。図１０は、情報配信用サーバにおける情報登録処理を示すフローチャートである。
【００７５】
図１０に示すように、まずステップＳ１０００に移行し、プレジャーボート２上の携帯電話からの登録用データを受信したか否かを判定し、受信したと判定された場合（Ｙｅｓ）はステップＳ１００２に移行し、そうでない場合（Ｎｏ）は受信するまで待機する。
ステップＳ１００２に移行した場合は、受信した登録用データが配信情報データベース６ｄに登録するのに適切な内容か否かを判定し、適切であると判定された場合（Ｙｅｓ）はステップＳ１００４に移行し、そうでない場合（Ｎｏ）はステップＳ１００６に移行する。
【００７６】
ステップＳ１００４に移行した場合は、受信した登録用データを配信情報データベース６ｄに登録してステップＳ１０００に移行する。
一方、ステップＳ１００６に移行した場合は、登録するのに適切ではないデータである旨の登録拒絶メッセージを対応する携帯電話宛てに送信してステップＳ１０００に移行する。
【００７７】
ここで、第１及び第２の携帯電話２０及び２１は、図示しないＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ　Ｍｅｍｏｒｙ）及び制御用プログラムの記憶されたＲＯＭ（Ｒｅａｄ　Ｏｎｌｙ　Ｍｅｍｏｒｙ）を備えており、ＣＰＵによってＲＯＭに記憶された制御用プログラムを実行することによって、上記図６及び図９のフローチャートの処理を行うようになっている。
【００７８】
また、情報配信用サーバ６は、図示しないＣＰＵ、ＲＡＭ、ＨＤＤ（Ｈａｒｄ　Ｄｉｓｋ　Ｄｒｉｖｅ）等の記憶装置及び制御用プログラムを備えており、ＣＰＵによって制御用プログラムを実行することによって、上記図７、８及び１０のフローチャートの処理を行うようになっている。
以上、プレジャーボート２の備える、第１〜第４の接続情報提供装置２００〜２０３によって乗船者の所持する第１及び第２の携帯電話２０及び２１がプレジャーボート２に対応したＷｅｂページに接続するためのＵＲＬ情報及び配信内容の情報を当該携帯電話に提供することが可能であり、位置情報検出部２２によってプレジャーボート２の位置情報を検出することが可能であり、位置情報通知部２３によって位置情報検出部２２によって検出されたプレジャーボート２の位置情報を情報配信用サーバ６に通知することが可能であり、第１及び第２の携帯電話２０及び２１は、第２の接続部２０ｂと第１〜第４の接続情報提供装置２００〜２０３のいずれかが備える第２の接続部接続情報取得部２０ｃを接続することによって、接続情報取得部２０ｃによって、ＵＲＬ情報及び配信内容の情報を取得することが可能であり、データ制御部２０ｆ及びデータ送受信部２０ｇによって、これら取得した情報に基づきプレジャーボート２に対応したＷｅｂページに接続することが可能であり、これにより、Ｗｅｂページを介して乗船者の識別情報の登録や配信用情報の登録などが可能である。更に、情報配信用サーバ６の備える、情報登録部６ｅによって取得した乗船者の識別情報をプレジャーボート２に対応付けて登録することが可能であり、情報メール生成部６ｃ及びデータ送受信部６ｄによって位置情報通知手段によって通知されたプレジャーボートの位置情報及び乗船者の登録情報に基づき対応する乗船者の携帯電話に当該位置情報に関連する情報を含む電子メールを配信することが可能である。
【００７９】
また、接続情報提供装置のそれぞれに配信内容の情報を付加することで、乗船者は配信を希望する配信内容の情報の付加された接続情報提供装置を携帯電話に接続して識別情報を登録することで、希望する配信情報のみを取得することが可能である。
ここで、図１に示す第１及び第２の携帯電話２０及び２１は、請求項１、５、６、１１〜１４、２０〜２５、２７〜２９記載の携帯情報端末に対応し、第１〜第４の接続情報提供装置２００〜２０３は、請求項１、１２、１３、２０、２５、２６、２９記載の接続情報提供手段に対応し、位置情報検出部２２は、請求項１記載の位置情報検出手段に対応し、位置情報通知部２３は、請求項１、１４、２８記載の位置情報通知手段に対応し、図２に示す、接続情報取得部２０ｃは、請求項１、１２、２０、２７記載の接続情報取得手段に対応し、図示しない操作部及び情報入力部２０ａによって行われる識別情報の登録処理は、請求項１及び請求項２０記載の識別情報入力手段に対応し、第２の接続部２０ｂは、請求項１２、１３、２７記載の第２の接続部に対応し、請求項１２、１３、２５、２７記載の第１の接続部に対応し、デジタルカメラ２０ｄは、請求項６及び請求項２３記載の撮影手段に対応し、電子メール制御部２０ｅ及び表示部２０ｈによる電子メールの閲覧処理は、請求項１及び請求項２０記載のメール閲覧手段に対応し、図３に示す、接続情報記憶部２００ａは、請求項１２及び請求項２５記載の記憶媒体に対応し、図４に示す、Ｗｅｂページ提供部６ｂは、請求項１及び請求項１４記載のＷｅｂページ提供手段に対応し、情報メール生成部６ｃ、配信情報データベース６ｄ及びデータ送受信部６ａによって行われる、情報配信用メールの生成及び伝送処理は、請求項１及び請求項１４記載の情報メール配信手段に対応し、情報登録部６ｅは、請求項１及び請求項１４記載の乗船者情報登録手段に対応する。
【００８０】
なお、上記実施の形態において、乗船者は、第１及び第２の携帯電話２０及び２１によって配信情報を取得したり、識別情報の登録などを行うようにしているが、これに限らず、ＰＤＡ（Ｐｅｒｓｏｎａｌ　Ｄｉｇｉｔａｌ　Ａｓｓｉｓｔａｎｔ）、ノートＰＣなどの他の携帯情報端末を利用して行うようにしても良い。
また、上記実施の形態においては、乗船者が第１及び第２の携帯電話２０及び２１を利用して、プレジャーボート２上で取得した情報を情報配信用サーバ６に登録するようになっているが、これに限らず、プレジャーボート２の船長が同ボート２の備える専用の装置によって登録するなど、別の方法で登録するようにしても良い。
【００８１】
また、上記実施の形態においては、配信する情報の種類を「気象情報」、「釣り情報」、「観光情報」の３種類としたが、これに限らず、港近くの商店情報など、別の情報を配信するようにしても良い。
また、上記実施の形態においては、第１〜第４の接続情報提供装置２００〜２０３のそれぞれに配信内容に関する情報を付加して、接続する接続情報提供装置の種類によって、配信内容の選択を行うようにしているが、これに限らず、識別情報の登録時にＷｅｂページ上で選択するようにするなど、他の方法で行うようにしても良い。
【００８２】
また、上記実施の形態においては、携帯電話の操作部を操作して識別情報を入力して情報配信用サーバ６に登録するようになっているが、これに限らず、予め識別情報を携帯電話に記憶しておき、第１〜第４の接続情報提供装置２００〜２０３を接続しすることによって、自動的にＷｅｂページにアクセスして識別情報の登録をするようにしても良い。
【００８３】
【発明の効果】
以上説明したように、本発明に係る情報配信システムによれば、プレジャーボートの乗船者は、自分用の携帯情報端末によって接続した専用のＷｅｂページにおいて、例えば、自己の情報に対応するＩＤ番号や電子メールアドレス等の識別情報を入力して、自分の情報を乗船しているプレジャーボートに対応付けて情報配信用サーバに登録することによって、情報配信用サーバからプレジャーボートの位置に関連した情報を、電子メールとして手軽に取得することが可能となり、取得した情報によって、初めて訪れた場所における行動を円滑化することが可能となる。
【００８４】
ここで、情報配信用サーバ、携帯情報端末、接続情報提供装置、情報配信用サーバ制御用プログラム及び携帯情報端末制御用プログラムは上記情報配信システムを実現するためのものであり、その効果は重複するので記載を省略する。
【図面の簡単な説明】
【図１】
本発明に係る情報配信システムの全体構成を示す図である。
【図２】
第１の携帯電話２０の詳細な構成を示すブロック図である。
【図３】
第１の接続情報提供装置２００の詳細な構成を示すブロック図である。
【図４】
情報配信用サーバ６の詳細な構成を示すブロック図である。
【図５】
接続情報提供装置と配信内容との対応関係を示す図である。
【図６】
第１及び第２の携帯電話２０及び２１における識別情報登録処理を示すフロー
チャートである。
【図７】
情報配信用サーバにおける識別情報の登録処理を示すフローチャートである。
【図８】
情報配信用サーバにおける情報配信処理を示すフローチャートである。
【図９】
携帯電話における情報登録処理を示すフローチャートである。
【図１０】
情報配信用サーバにおける情報登録処理を示すフローチャートである。
【符号の説明】
１　　　　　　　　情報配信システム
２　　　　　　　　プレジャーボート
６　　　　　　　　情報配信用サーバ
６ａ　　　　　　　データ送受信部
６ｂ　　　　　　　Ｗｅｂページ提供部
６ｃ　　　　　　　情報メール生成部
６ｄ　　　　　　　配信情報データベース
６ｅ　　　　　　　情報登録部
２０　　　　　　　第１の携帯電話
２０ａ　　　　　　情報入力部
２０ｂ　　　　　　第２の接続部
２０ｃ　　　　　　接続情報取得部
２０ｄ　　　　　　デジタルカメラ
２０ｅ　　　　　　電子メール制御部
２０ｆ　　　　　　データ制御部
２０ｇ　　　　　　データ送受信部
２０ｈ　　　　　　表示部
２０ｉ　　　　　　電話機能部
２１　　　　　　　第２の携帯電話
２００　　　　　　第１の接続情報提供装置
２００ａ　　　　　接続情報記憶部
２００ｂ　　　　　第１の接続部
２０１　　　　　　第２の接続情報提供装置
２０２　　　　　　第３の接続情報提供装置
２０３　　　　　　第４の接続情報提供装置
【図１】
2004062244.tif 000003
【図２】
2004062244.tif 000004
【図３】
2004062244.tif 000005
【図４】
2004062244.tif 000006
【図５】
2004062244.tif 000007
【図６】
2004062244.tif 000008
【図７】
2004062244.tif 000009
【図８】
2004062244.tif 000010
【図９】
2004062244.tif 000011
【図１０】
2004062244.tif 000012